(57)【特許請求の範囲】
【請求項１】
検知範囲内への人体の侵入を検知するとともに、人体の移動方向を検知する検知手段と、
複数の人体の移動方向の各々に対応させて、任意の音を録音する録音手段と、人体の移動方向を検知したときに、その移動方向に対応した音を再生させる再生手段とを備えた人体検知スピーカ。
【請求項２】
上記録音手段は、マイクを備えており、マイクから入力された音を録音することを特徴とする、請求項１に記載の人体検知スピーカ。
【請求項３】
上記録音手段は、入力端子を備えており、入力端子を通じて入力された音を録音することを特徴とする、請求項１に記載の人体検知スピーカ。
【請求項４】
時計手段を更に備え、
上記録音手段は、人体の移動方向の各々に対応させて、複数の音が録音できるようになっており、
上記時計手段が予め設定された時刻を判別したときには、上記再生手段によって再生させる音を変更することを特徴とする、請求項１〜請求項３のいずれかに記載の人体検知スピーカ。
【請求項５】
リモコン装置からの信号を受信する受信手段を更に備え、
上記録音手段は、人体の移動方向の各々に対応させて、複数の音が録音できるようになっており、
上記受信手段が受信する信号の内容に従って、上記再生手段によって再生させる音を変更することを特徴とする、請求項１〜請求項３のいずれかに記載の人体検知スピーカ。
【請求項６】
スイッチ手段を更に備え、
上記録音手段は、人体の移動方向の各々に対応させて、複数の音が録音できるようになっており、
上記スイッチ手段の操作に従って、上記再生手段によって再生させる音を変更することを特徴とする、請求項１〜請求項３のいずれかに記載の人体検知スピーカ。
【請求項７】
有効移動方向設定手段を更に備え、
上記再生手段は、上記有効移動方向設定手段によって有効に設定されている移動方向を検知したときにのみ、その移動方向に対応した音を再生させることを特徴とする、請求項１〜請求項６のいずれかに記載の人体検知スピーカ。
【請求項８】
壁面や天井などへの取付手段を更に備えており、
この取付手段と着脱可能になっていることを特徴とする、請求項１〜請求項７のいずれかに記載の人体検知スピーカ。
【請求項９】
上記取付手段に取り付けているときには、商用電源から電源供給を受ける一方、上記取付手段から取り外したときには、内蔵電源から電源供給を受けることを特徴とする、請求項８に記載の人体検知スピーカ。
【発明の詳細な説明】
【０００１】
【発明の属する技術分野】
本発明は、人体を検知したときに、人体の移動方向に応じて、予め録音した音を出力する構成の人体検知スピーカに関する。
【０００２】
【従来の技術】
従来から、店舗の出入り口などには、人体を検知して、音声メッセージ、チャイム音、音楽などを出力するシステムが設置されている。熱や赤外線などの検知センサが、検知範囲内への人体の侵入を検知すると、人体の移動方向に合わせて、音声メッセージなどを出力する。例えば、人体の移動方向が店に入ってくる方向であれば、「いらっしゃいませ」といったメッセージを出力する。一方、人体の移動方向が店から出て行く方向であれば、「ありがとうございました」といったメッセージを出力する。
【０００３】
図８は、上記のような動作をする人体検知スピーカ１００の内部構成の一例を示すブロック図である。この人体検知スピーカ１００は、人体から発せられる熱を検出する熱検出部１１０と、スピーカ部１１１と、ＣＰＵなどで構成される制御部１１２と、出力する音を登録した音ＩＣ１１３とで構成されている。制御部１１２は、熱検知部１１０が人体を検出すると、その移動方向に応じた音を音ＩＣ１１３から選択し、スピーカ部１１１から出力する。
【０００４】
【発明が解決しようとする課題】
ところが、上記従来の人体検知スピーカでは、出力する音が予め決まっているため、設置される場所や用途が限定され、オリジナリティにかけ、店の雰囲気やコンセプトにそぐわない場合があるという問題があった。また、電子音声合成によって音声メッセージを出力しているので、機械的であり、安っぽい印象を与えていた。
【０００５】
本発明は、このような事情を考慮してなされたものであり、任意の音の録音を可能にすることによって、周囲環境、設置場所、用途などに応じて、最適な音が出力できるようにした人体検知スピーカを提供することを目的としている。
【０００６】
【課題を解決するための手段】
上記目的を達成するために、本発明の請求項１に記載の人体検知スピーカは、検知範囲内への人体の侵入を検知するとともに、人体の移動方向を検知する検知手段と、複数の人体の移動方向の各々に対応させて、任意の音を録音する録音手段と、人体の移動方向を検知したときに、その移動方向に対応した音を再生させる再生手段とを備える。
【０００７】
請求項２では、請求項１において、録音手段は、マイクを備えており、マイクから入力された音を録音することを特徴とする。これによって、人間の肉声を音声メッセージとして録音しておくことができる。請求項３では、請求項１において、録音手段は、入力端子を備えており、入力端子を通じて入力された音を録音することを特徴とする。これによって、オーディオ機器などからの音楽の録音が可能になる。
【０００８】
請求項４では、請求項１〜請求項３のいずれかにおいて、時計手段を更に備え、録音手段は、人体の移動方向の各々に対応させて、複数の音が録音できるようになっており、時計手段が予め設定された時刻を判別したときには、再生手段によって再生させる音を変更することを特徴とする。これによって、時間帯、曜日、日付、季節などによって、自動的に、出力する音が変更できる。
【０００９】
請求項５では、請求項１〜請求項３のいずれかにおいて、リモコン装置からの信号を受信する受信手段を更に備え、録音手段は、人体の移動方向の各々に対応させて、複数の音が録音できるようになっており、受信手段が受信する信号の内容に従って、再生手段によって再生させる音を変更することを特徴とする。
【００１０】
請求項６では、請求項１〜請求項３のいずれかにおいて、スイッチ手段を更に備え、録音手段は、人体の移動方向の各々に対応させて、複数の音が録音できるようになっており、スイッチ手段の操作に従って、再生手段によって再生させる音を変更することを特徴とする。
【００１１】
請求項７では、請求項１〜請求項６のいずれかにおいて、有効移動方向設定手段を更に備え、再生手段は、有効移動方向設定手段によって有効に設定されている移動方向を検知したときにのみ、その移動方向に対応した音を再生させることを特徴とする。
【００１２】
請求項８では、請求項１〜請求項７のいずれかにおいて、壁面や天井などへの取付手段を更に備えており、この取付手段と着脱可能になっていることを特徴とする。請求項９では、請求項８において、取付手段に取り付けているときには、商用電源から電源供給を受ける一方、取付手段から取り外したときには、内蔵電源から電源供給を受けることを特徴とする。
【００１３】
【発明の実施の形態】
以下に、本発明の実施の形態について、図面とともに説明する。図１（ａ）は、本発明の人体検知スピーカ１の外観の一例を示した図、図１（ｂ）は、人体検知スピーカの設置の例を示した図である。熱検出部１０は、検知範囲内への人体の侵入を検知するとともに、人体の移動方向を検知するようになっている。人体の移動方向を検知したときには、予め、その移動方向に対応して録音した音（音声、信号音、音楽など）を再生させ、スピーカ部１１から出力する。
【００１４】
この人体検知スピーカ１は、任意の音を録音するために、マイク１２と入力端子１３とを備えている。なお、これらは両方を備えている必要はなく、いずれか一方のみを備えた構成であってもよい。
【００１５】
図示した人体検知スピーカ１は、２つの熱検出部１０（＃Ａ，＃Ｂ）を備えており、これらが熱を検出する順番によって、人体の移動方向を判別している。人体の移動方向は、２方向には限定されず、検知範囲を３以上設けたりして、３以上の方向を検知できる構成であってもよい。なお、熱の代わりに赤外線を検出してもよく、人体が検出できる構成であればよい。
【００１６】
図１（ｂ）に示すように、人体検知スピーカには、出入り口付近に設置する置型の人体検知スピーカ１の他に、壁・天井取付型１Ａ、無目取付型１Ｂなどがある。置型１と無目取付型１Ｂとは兼用でき、無目に取り付けるときには、本体を土台部１９から取り外して直接取りつける。
【００１７】
図２は、人体検知スピーカ１の内部構成の例を示したブロック図である。人体検知スピーカ１は、検知範囲内への人体の侵入を検知するとともに、人体の移動方向を検知する検知手段として熱検知部１０を備える。また、複数の人体の移動方向の各々に対応させて、任意の音を録音する録音手段、及び人体の移動方向を検知したときに、その移動方向に対応した音を再生させる再生手段として、録再回路１５を備えている。その他、人体検知スピーカ１は、スピーカ部１１と、ＣＰＵ等で構成された制御部１４と、各種スイッチなどを有した操作部１６とを備えている。この人体検知スピーカ１は、乾電池などの内蔵電源や、ＡＣアダプタによる商用電源から電源供給を受けて作動する。
【００１８】
図２（ａ）では、録音手段はマイク１２を備えており、マイク１２から入力された音が録音できる。例えば、操作部１６の録音ボタンを押しながら、マイク１２に向かって音を発する。そうすれば、人間の肉声などを音声メッセージとして録音しておくことができる。
【００１９】
図２（ｂ）では、録音手段はオーディオ入力端子としてライン入力部１３を備えており、ライン入力部１３を通じて入力された音を録音する。これによって、図３に示すようにして、ラジカセなどのオーディオ機器２から、音楽や音声メッセージなどが録音できる。
【００２０】
このように本発明の人体検知スピーカ１では、任意の音が録音できる。例えば、レストランやファーストフードのチェーン店などでは、入店時に「いらっしゃいませ。○○○へようこそ」、「いらっしゃいませ。メニューの置いてあるお好きな席へどうぞ」といったメッセージを出力する。ラーメン店では、入店時に「いらっしゃい」といったメッセージを出力する。高級店では、退店時に、「ありがとうございました。またのお越しをお待ちしております」といったメッセージを出力する。病院では、退出時に「おだいじに」といったメッセージを出力する。
【００２１】
また、店の雰囲気作りや演出のために、入店時に、雷鳴（ゴロゴロ）、寺の鐘（ゴーン）、チャペルの鐘（キンコンカン）、ドラ（ジャーン）といった効果音、音楽などが出力できる。
【００２２】
更に、来客に対して、「本日のお買得商品は○○○です」、「現在、○○キャンペーンを実施中です」といった販売促進などのための店内情報メッセージ、「止まらずにまっすぐお進みください」、「出口は突き当りを右です」、「段差がありますので足元にご注意下さい」といった案内や注意メッセージ、「店内では置き引きにご注意下さい」といった防犯メッセージなどが出力できる。
【００２３】
したがって、本発明によれば、設置場所や用途が限定されることがなく、店の雰囲気やコンセプトにあった音を出力できる。また、季節や店舗改装などの周囲の環境が変化しても、柔軟に対応できる。また、代わりに接客メッセージが出力できるので、省力化、人員削減が図れる。更に、肉声や音楽などを出力できるので、従来の機械的な音声と比べて、客に好印象を与えることができる。
【００２４】
次に、図４には、人体検知スピーカ１の別の内部構成をブロック図で示している。図４（ａ）では、図２（ａ）に示した構成に加えて、時計手段としてタイマ部１７を備えている。録再回路１５には、人体の移動方向の各々に対応させて、複数の音が録音できるようになっており、制御部１４は、タイマ部１７が予め設定された時刻を判別したときには、録再回路１５によって再生させる音を変更する。その後に熱検知部１０で人体を検知したときには、変更後の音が出力される。これによって、特定の時間帯、曜日、日付、季節などによって、自動的に音の変更ができ、より細やかなサービスが提供できる。
【００２５】
例えば、昼は定食屋、夜は居酒屋として営業している店では、昼から夜の時間帯になったときに、自動的に、来客に対する音声メッセージを、女声の「いらっしゃいませ」から男声の「いらっしゃい」に変更する。また、夜の時間帯になると、侵入者を威嚇するための防犯メッセージの出力に変更する。更に、時間帯によって「サービスタイム中です」、曜日や日付によって「本日はサービスデーです」といったメッセージ出力に自動的に切り替える。
【００２６】
図４（ｂ）では、図２（ａ）に示した構成に加えて、リモコン装置（図７に示すリモコン装置３）からの信号を受信する受信手段としてリモコン受光部１８を備えている。録再回路１５は、人体の移動方向の各々に対応させて、複数の音が録音できるようになっており、制御部１４は、リモコン受光部１８が、赤外線信号などのコマンドを受信したときには、その受信した信号の内容に従って、録再回路１５によって再生させる音を変更する。その後に熱検知部１０で人体を検知したときには、変更後の音が出力される。これによって、そのときの状況に合った音が出力できる。
【００２７】
例えば、店内が混雑しているときには、来店時に出力する音声メッセージを「ただいま満席でございますので、お名前と人数をご記入の上、しばらくの間お待ち下さい」といったメッセージに変更する。また、雨の日などには、「店内はすべりやすくなっておりますので、足元に十分お気をつけ下さい」といったメッセージに変更する。
【００２８】
また、人体検知スピーカ１の操作部１６に、メッセージを変更するスイッチ手段（図６（ａ）に示すメッセージ選択スイッチ１６ａなど）を備えるようにしてもよい。この場合でも、録再回路１５には、人体の移動方向の各々に対応させて、複数の音が録音できるようになっているので、スイッチ手段を操作すれば、その操作に従って、録再回路１５によって再生させる音が変更できる。
【００２９】
図５には、録音した音声メッセージの構成の例を示している。ここでは、２つの人体の移動方向（侵入と退出）の各々に対して、複数の音声メッセージが録音されている。通常は、侵入と退出の各々に対して、番号「０１」と「１１」の音声メッセージが出力されるようになっている。
【００３０】
タイマ部１７（カレンダ機能）によって、サービスデーを判別したとき（日付が変わったとき、開店時間になったとき）には、侵入方向に対する音声メッセージを、番号「０２」のメッセージに変更する。次の日になったとき（次の日の開店時間になったとき）には、番号「０１」のメッセージに戻す。また、閉店間近の時間帯になって翌日が営業日であるときには、退出方向に対する音声メッセージを、番号「１２」のメッセージに変更する。翌日の開店時までには、番号「１１」のメッセージに戻しておく。
【００３１】
店内が混雑してきたとき（例えば、満席になった場合）には、リモコン装置３の操作、操作部１６のスイッチ操作によって、侵入方向に対する音声メッセージを、番号「０３」のメッセージに変更する。混雑が解消されたとき（例えば、空席が多くなった場合）には、番号「０１」のメッセージに戻す。また、急に雨が降ってきたときには、リモコン装置３の操作や、操作部１６のスイッチ操作によって、退出方向に対する音声メッセージを、番号「１３」のメッセージに変更する。雨がやんだときには、番号「１１」のメッセージに戻す。
【００３２】
図６には、操作部１６のスイッチの構成例を示している。図６（ａ）は、出力する音声メッセージを手動で選択設定するためのメッセージ選択スイッチ１６ａの例を示している。ここでは、２つの人体移動方向の各々に対して、３つのメッセージが登録されており、そのうちの１つが選択できるようになっている。
【００３３】
図６（ｂ）は、有効移動方向設定手段として設けられた方向選択スイッチ１６ｂの例を示している。録再回路１５は、方向選択スイッチ１６ｂによって、有効に設定されている移動方向を検知したときにのみ、その移動方向に対応した音を再生させる。これによって、設置場所の環境にあった音の出力が可能になる。
【００３４】
また、有効とする方向の変更は、タイマ部１７の時刻や、リモコン装置３から受信する信号によって行うようにしてもよい。例えば、閉店間近になったときには、入店を制限しているので、退店側のメッセージのみを出力するように切り替える。
【００３５】
なお、メッセージ選択スイッチ１６ａと方向選択スイッチ１６ｂは、両方を備えている必要はなく、いずれか一方のみを備えていてもよい。また、両方とも備えていない構成であってもよい。
【００３６】
また、操作部１６には、音量スイッチ（不図示）を備える。音量は、例えば、大（７５ｄＢ）と小（６５ｄＢ）とオフ状態とが選択できる。この音量は、タイマ部１７の時刻や、リモコン装置３から受信する信号によって選択するようにしてもよい。例えば、閉店してから開店するまでは、音量をオフ状態にする。
【００３７】
次に、壁・天井取付型の人体検知スピーカ１Ａについて説明する。図７に示すように、人体検知スピーカ１Ａは、壁面や天井などへの取付手段１９Ａを備えており、この取付手段１９Ａと本体部とは、着脱可能になっている。これによって、天井などに取り付けた場合でも、簡単に取り外して録音することができる。
【００３８】
また、人体検知スピーカ１Ａは、取付手段１９Ａに取り付けているときには、商用電源（ＡＣ１００Ｖ）から電源供給を受ける一方、取付手段１９Ａから取り外したときには、電池などの内蔵電源から電源供給を受ける。これによって、天井などに取り付けて、通常に使用している間は、電池交換時期を心配する必要がなく、電池切れによって作動しなくなることもない。一方、取り外した後は、内蔵電源によって作動するので、持ち運んで、どこででも録音することができる。
【００３９】
なお、ここでは、人体検知スピーカ１Ａを天井などに取り付けたまま、リモコン装置３から遠隔操作できる場合を示しており、リモコン装置３からは、人体検知スピーカ１Ａの電源のオンオフ制御もできるようになっている。これによって、混雑時には、人体検知スピーカ１Ａを作動しないようにすることもできる。
【００４０】
また、人体検知スピーカ１Ａには、接点出力機器として増設チャイム４を接続している。人体検知スピーカ１Ａのスピーカ部１１から音を出力したときには、同時に、増設チャイム４からもチャイム音が出力される。チャイム音は、人体の移動方向によって、音色が異なるようにしておけばよい。
【００４１】
【発明の効果】
以上の説明からも理解できるように、本発明の請求項１〜請求項９の各々に記載の人体検知スピーカは、検知範囲内への人体の侵入を検知したときに、予め、人体の移動方向に対応させて録音した音を再生する。この人体検知スピーカは、任意の音が録音できるため、設置場所や用途が限定されることがなく、店の雰囲気やコンセプトにあった音を出力できる。また、接客メッセージを出力できるので、省力化を図ることができる。更に、肉声や音楽などが出力できるので、従来の機械的な音声と比べて、客に対して好印象を与えることができる。
【００４２】
特に、請求項２では、マイクから入力した音を録音できるので、人間の肉声などが簡単に音声メッセージとして録音できる。請求項３では、入力端子を通じて入力した音を録音できるので、オーディオ機器などからの音楽などの録音が簡単にできる。
【００４３】
また、請求項４では、特定の時間帯、曜日、日付、季節などによって、自動的に、再生させる音が変更できる。請求項５では、遠隔からリモコン操作によって、再生させる音を変更できる。請求項６では、スイッチ操作によって、再生させる音が変更できる。請求項７では、音の出力を有効とする移動方向が設定できるので、設置場所にあった音の出力ができる。
【００４４】
請求項８では、壁面や天井などへの取付手段と着脱可能になっているので、簡単に取り外して録音することができる。また、請求項９では、天井などに取り付けているときには、商用電源から電源供給を受ける一方、取り外したときには、内蔵電源から電源供給を受けるので、通常の使用時に、電池交換時期を心配する必要がなく、電池切れによって作動しなくなることもない。一方、取り外した後は、内蔵電源によって作動するので、持ち運んで、どこででも録音することができる。
【図面の簡単な説明】
【図１】本発明の人体検知スピーカの外観例及び設置例を示す図である。
【図２】本発明の人体検知スピーカの内部構成の例を示すブロック図である。
【図３】人体検知スピーカへの録音状態を説明する図である。
【図４】本発明の人体検知スピーカの内部構成の他の例を示すブロック図である。
【図５】録音した音声メッセージの例を示す図である。
【図６】メッセージ選択スイッチ、方向選択スイッチの例を示す図である。
【図７】本発明の人体検知スピーカの他の外観例を示す図である。
【図８】従来の人体検知スピーカの内部構成を示すブロック図である。
【符号の説明】
１，１Ａ，１Ｂ  人体検知スピーカ
１０            熱検知部
１１            スピーカ部
１２            マイク
１３            ライン入力部
１４            制御部
１５            録再回路
１６            操作部
１６ａ          メッセージ選択スイッチ
１６ｂ          方向選択スイッチ
１７            タイマ部
１８            リモコン受光部
１９            土台部
１９Ａ          取付部
２              オーディオ機器
３              リモコン装置
【図１】
0003539361.tif 000002
【図２】
0003539361.tif 000003
【図３】
0003539361.tif 000004
【図４】
0003539361.tif 000005
【図５】
0003539361.tif 000006
【図６】
0003539361.tif 000007
【図７】
0003539361.tif 000008
【図８】
0003539361.tif 000009